(57)【特許請求の範囲】
【請求項１】
各部を制御する制御部と、
受信したアナログ信号のレベル調整を行うアッテネータ部と、
このアッテネータ部を経たアナログ信号をデジタル信号に変換するとともに出力されるデジタル信号が予め設定された値を超えているか否かを判断する機能を有するＡ／Ｄコンバータと、
このＡ／Ｄコンバータから出力されるデジタル信号が入力されるデジタル信号処理部とを具備しており、
さらに、前記デジタル信号処理部は、入力されたデジタル信号の帯域制限を行うＢＰＦと、このＢＰＦから出力されたデジタル信号に飽和フラグが含まれているか否かを検出する飽和検出部とを有しており、
前記飽和フラグは、Ａ／Ｄコンバータから出力されるデジタル信号が予め設定された値を超えて飽和していると判断された場合、デジタル信号の瞬時値と同期して出力されるものであり、この飽和フラグが帯域外の周波数成分となる場合にはＢＰＦによって除去され、前記飽和検出部が飽和フラグを検出した場合、前記制御部は、前記アッテネータ部に対して前記アナログ信号の信号レベルを減衰させるアッテネータ制御信号を送出することを特徴とする無線受信装置。
【請求項２】
前記アッテネータ部は、減衰量を変化させることができる可変アッテネータであることを特徴とする請求項１記載の無線受信装置。
【請求項３】
各部を制御する制御部と、
受信したアナログ信号のレベル調整を行うアッテネータ部と、
このアッテネータ部を経たアナログ信号をデジタル信号に変換するとともに出力されるデジタル信号が予め設定された値を超えているか否かを判断する機能を有するＡ／Ｄコンバータと、
このＡ／Ｄコンバータから出力されるデジタル信号が入力されるデジタル信号処理部とを具備しており、
さらに、前記デジタル信号処理部は、入力されたデジタル信号の帯域制限を行うＢＰＦと、このＢＰＦから出力されたデジタル信号に飽和フラグが含まれているか否かを検出する飽和検出部とを有しており、
前記アッテネータ部は、減衰量を固定された１又は複数の固定アッテネータと、受信したアナログ信号を固定アッテネータに導くか、それとも固定アッテネータをスルーしてＡ／Ｄコンバータに直接導くかを切り換えるアッテネータ切換スイッチとを有しており、
前記飽和フラグは、Ａ／Ｄコンバータによって変換されたデジタル信号が予め設定された値を超えて飽和していると判断された場合、デジタル信号の瞬時値と同期して出力されるものであり、この飽和フラグが帯域外の周波数成分となる場合にはＢＰＦによって除去され、前記飽和検出部が飽和フラグを検出した場合、前記制御部は、前記アッテネータ部のアッテネータ切り換えスイッチに対して固定アッテネータを選択するアッテネータ切換信号を送出することを特徴とする無線受信装置。
【請求項４】
前記アッテネータ部は、減衰量を変化させることができる可変アッテネータと、減衰量が固定された固定アッテネータとを有することを特徴とする請求項１記載の無線受信装置。
【請求項５】
各部を制御する制御部と、
受信したアナログ信号のレベル調整を行うアッテネータ部と、
このアッテネータ部を経たアナログ信号をデジタル信号に変換するＡ／Ｄコンバータと、
このＡ／Ｄコンバータから出力されるデジタル信号が入力されるデジタル信号処理部とを具備しており、
さらに、前記デジタル信号処理部は、入力されたデジタル信号の帯域制限を行うＢＰＦと、このＢＰＦより前段に設けられた信号レベル検出部と、前記ＢＰＦから出力されたデジタル信号に飽和フラグが含まれているか否かを検出する飽和検出部とを有しており、
前記信号レベル検出部は、予め設定されたレベルを超えるデジタル信号が入力されると飽和が検出されたと判断して飽和フラグを出力し、前記ＢＰＦから出力されたデジタル信号に前記飽和フラグが含まれていることを前記飽和検出部が検出したならば、前記制御部は、前記アッテネータ部に対して前記アナログ信号を減衰させるアッテネータ制御信号を送出することを特徴とする無線受信装置。
【請求項６】
各部を制御する制御部と、
受信したアナログ信号のレベル調整を行うアッテネータ部と、
このアッテネータ部を経たアナログ信号をデジタル信号に変換するとともに出力されるデジタル信号が予め設定された値を超えているか否かを判断する機能を有するＡ／Ｄコンバータと、
このＡ／Ｄコンバータから出力されるデジタル信号が入力されるデジタル信号処理部とを具備しており、
さらに、前記デジタル信号処理部は、入力されたデジタル信号の帯域制限を行うＢＰＦと、このＢＰＦから出力されたデジタル信号に飽和フラグが含まれているか否かを検出する飽和検出部とを有する無線受信装置の制御方法において、
前記飽和フラグは、Ａ／Ｄコンバータによって変換されたデジタル信号が予め設定された値を超えて飽和していると判断された場合、デジタル信号の瞬時値と同期して出力されるものであり、この飽和フラグが帯域外の周波数成分となる場合にはＢＰＦによって除去され、前記ＢＰＦによって帯域制限されたデジタル信号に飽和フラグが含まれるか否かを前記飽和検出部が検出するステップと、前記ステップで飽和フラグが検出された場合には、アッテネータ部に対してアナログ信号を減衰させるアッテネータ制御信号を送出するステップとを具備していることを特徴とする無線受信装置の制御方法。
【発明の詳細な説明】
【技術分野】
【０００１】
本発明は、無線受信装置と、その制御方法とに関する。
【背景技術】
【０００２】
アナログ信号をＡ／Ｄコンバータでデジタル信号に変換し、得られたデジタル信号に種々のデジタル信号処理を施した後、Ｄ／Ａコンバータで再度アナログ信号に変換するような装置が、オーディオ装置や無線受信機等の各種分野で広く採用されている。
ここで、Ａ／Ｄコンバータで飽和（オーバーフロー）が起こっている場合、Ａ／Ｄコンバータの前段にアッテネータを介在させ、このアッテネータで信号レベルを下げて飽和を回避することが行われている。
【０００３】
例えば、音声記録装置においては、特許文献１に開示されたような『アナログ入力信号を一定の量に減衰させる複数或いは一つのアナログアッテネータと、前記アナログアッテネータによって減衰させられた信号か、あるいは前記アナログ入力信号かのいずれかを選択する選択回路と、前記選択回路の出力をＡＤ変換するＡＤコンバータと、前記ＡＤコンバータからの出力にアッテネート処理を行うディジタルアッテネータと、前記選択回路及び前記ディジタルアッテネータを制御する制御回路と、前記ディジタルアッテネータからの出力を信号処理する信号処理回路とを備える』ＰＣＭ音声記録装置がある。
このＰＣＭ音声記録装置は、アナログ入力信号（アナログ音声入力信号）のレベル調整を行うものであり、アナログ入力信号の減衰量を設定した場合、その設定値がアナログアッテネータの減衰量より大きいか否かを判断し、小さい場合にはＡＤコンバータの後段のディジタルアッテネータで減衰し、大きい場合にはＡＤコンバータの前段のアナログアッテネータで減衰するように構成している。
【０００４】
また、特許文献２に開示された『入力アナログ信号をデジタル信号に変換するＡ／Ｄコンバータと、このＡ／Ｄコンバータからのデジタル信号が予め定めた前記Ａ／Ｄコンバータの入力レンジを超えたことを検出するオーバーフロー検出手段と、このオーバーフロー検出手段からの検出出力に基づいてなんらかの告知を行う告知手段と、を備える』オーバーフロー検出装置がある。
このオーバーフロー検出装置は、Ａ／Ｄコンバータの入力レンジを超えるデジタル信号がオーバーフロー検出手段に入力された場合、オーバーフロー検出手段がオーバーフローした旨の表示を告知手段で告知することで、入力アナログ信号のレベルをＡ／Ｄコンバータがオーバーフローしないように減衰させることを使用者に対して促すような構成になっている。
【０００５】
ところで、広帯域のアナログ信号をＡ／Ｄコンバータに入力するダイレクトサンプリング方式の無線受信装置では、Ａ／Ｄコンバータに入力される周波数帯域が広く、多数の信号が入力されることになるので、スーパーヘテロダイン等の他の受信方式よりＡ／Ｄコンバータが飽和しやすいという性質がある。このため、ダイレクトサンプリング方式の無線受信装置では特に、Ａ／Ｄコンバータの飽和を防ぐことが重要なポイントの一つになっている。
【０００６】
【特許文献１】特開平０４−３３９３６０号公報
【特許文献２】実開平０４−１３２７４９号公報
【発明の開示】
【発明が解決しようとする課題】
【０００７】
しかしながら、検波帯域外の信号の影響でＡ／Ｄコンバータが飽和している場合、検波後の信号ではこのＡ／Ｄコンバータ段階での飽和による影響はないことがある。かかる場合に、単にＡ／Ｄコンバータの前段にアッテネータを入れるだけであると、Ａ／Ｄコンバータに入力されるすべての信号が減衰される。すなわち、検波帯域外の信号の飽和の影響がないはずの検波帯域内の信号も一律に減衰されてしまい、その結果Ｓ／Ｎ（信号対雑音比）が低下してしまうという問題がある。
【０００８】
本発明は、上記事情に鑑みて創案されたもので、検波帯域で飽和が発生している場合のみ、アッテネータ部を作動させて飽和を防ぐことができる無線受信装置と、その制御方法とを提供することを目的としている。
【課題を解決するための手段】
【０００９】
本発明に係る無線受信装置は、各部を制御する制御部と、受信したアナログ信号のレベル調整を行うアッテネータ部と、このアッテネータ部を経たアナログ信号をデジタル信号に変換するとともに出力されるデジタル信号が予め設定された値を超えているか否かを判断する機能を有するＡ／Ｄコンバータと、このＡ／Ｄコンバータから出力されるデジタル信号が入力されるデジタル信号処理部とを備えており、さらに、前記デジタル信号処理部は、入力されたデジタル信号の帯域制限を行うＢＰＦと、このＢＰＦから出力されたデジタル信号に飽和フラグが含まれているか否かを検出する飽和検出部とを有しており、前記飽和フラグは、Ａ／Ｄコンバータによって変換されたデジタル信号が予め設定された値を超えて飽和していると判断された場合、デジタル信号の瞬時値と同期して出力されるものであり、この飽和フラグが帯域外の周波数成分となる場合にはＢＰＦによって除去され、前記飽和検出部が飽和フラグを検出した場合、前記制御部は、前記アッテネータ部に対して前記アナログ信号の信号レベルを減衰させるアッテネータ制御信号を送出するように構成されている。
【００１０】
また、前記アッテネータ部は、アナログ信号の減衰量を変化させることができる可変アッテネータのみで構成してもよいし、前記減衰量が固定された固定アッテネータのみで構成してもよい。さらに、前記アッテネータ部は、前記減衰量を変化させることができる可変アッテネータと、前記減衰量が固定された固定アッテネータとを併用することも可能である。
【００１１】
本発明に係る無線受信装置の制御方法は、各部を制御する制御部と、受信したアナログ信号のレベル調整を行うアッテネータ部と、このアッテネータ部を経たアナログ信号をデジタル信号に変換するとともに出力されるデジタル信号が予め設定された値を超えているか否かを判断する機能を有するＡ／Ｄコンバータと、このＡ／Ｄコンバータから出力されるデジタル信号が入力されるデジタル信号処理部とを備えており、さらに、前記デジタル信号処理部は、入力されたデジタル信号の帯域制限を行うＢＰＦと、このＢＰＦから出力されたデジタル信号に飽和フラグが含まれているか否かを検出する飽和検出部とを有する無線受信装置の制御方法であって、前記飽和フラグは、Ａ／Ｄコンバータによって変換されたデジタル信号が予め設定された値を超えて飽和していると判断された場合、デジタル信号の瞬時値と同期して出力されるものであり、この飽和フラグが帯域外の周波数成分となる場合にはＢＰＦによって除去され、前記ＢＰＦによって帯域制限されたデジタル信号に飽和フラグが含まれるか否かを前記飽和検出部が検出するステップと、前記ステップで飽和フラグが検出された場合には、アッテネータ部に対してアナログ信号を減衰させるアッテネータ制御信号を送出するステップとを備えている。
【発明の効果】
【００１２】
本発明の実施の形態に係る無線受信装置では、Ａ／Ｄコンバータから出力されたデジタル信号の帯域制限を行うＢＰＦから出力されたデジタル信号に飽和フラグが含まれているか否かを飽和検出部で検出し、前記制御部は、前記飽和検出部での検出結果に応じて、前記アッテネータ部に対して前記アナログ信号の信号レベルを減衰させるアッテネータ制御信号を送出するように構成されているので、検波帯域で飽和が発生している場合だけアッテネータ部で受信したアナログ信号を減衰することになる。
このため、検波帯域外での飽和によるＳ／Ｎの低下という問題が発生しない。
【図面の簡単な説明】
【００１３】
【図１】本発明の第１の実施の形態に係る無線受信装置の概略的ブロック図である。
【図２】本発明の第２の実施の形態に係る無線受信装置の概略的ブロック図である。
【図３】本発明の第３の実施の形態に係る無線受信装置の概略的ブロック図である。
【図４】本発明の第４の実施の形態に係る無線受信装置の概略的ブロック図である。
【発明を実施するための形態】
【００１４】
本発明の第１の実施の形態に係る無線受信装置１０００Ａは、図１に示すように、各部を制御する制御部５００と、受信したアナログ信号Ａ１のレベル調整を行うアッテネータ部３００と、このアッテネータ部３００を経たアナログ信号Ａ２をデジタル信号Ｄ１に変換するとともに出力されるデジタル信号Ｄ１が予め設定された値を超えているか否かを判断する機能を有するＡ／Ｄコンバータ１００と、このＡ／Ｄコンバータ１００から出力されるデジタル信号Ｄ１が入力されるデジタル信号処理部４００とを備えており、さらに、前記デジタル信号処理部４００は、入力されたデジタル信号Ｄ１の帯域制限を行うＢＰＦ４１０と、このＢＰＦ４１０から出力されたデジタル信号Ｄ２に飽和フラグ１１０が含まれているか否かを検出する飽和検出部４２０とを有しており、前記飽和フラグ１１０は、Ａ／Ｄコンバータ１００によって変換されたデジタル信号Ｄ１が予め設定された値を超えて飽和していると判断された場合、デジタル信号Ｄ１の瞬時値と同期して出力されるものであり、この飽和フラグ１１０が帯域外の周波数成分となる場合にはＢＰＦ４１０によって除去され、前記飽和検出部４２０が飽和フラグ１１０を検出した場合、前記制御部５００は、前記アッテネータ部３００に対して前記アナログ信号Ａ１の信号レベルを減衰させるアッテネータ制御信号５１０を送出するように構成されている。
【００１５】
この無線受信装置１０００ＡのアンテナＡＴから出力されたアナログ信号Ａ１は、前段に接続されたアッテネータ部３００としての可変アッテネータ３１０を介してＡ／Ｄコンバータ１００にアナログ信号Ａ２として入力される。
このＡ／Ｄコンバータ１００は、出力されるデジタル信号Ｄ１が予め設定された値を超えているか否かを判断する機能、すなわちデジタル信号Ｄ１が飽和しているか否かを検出する機能を有している。そして、出力されたデジタル信号Ｄ１が予め設定された値を超えて飽和していると判断した場合は、その旨をデジタル信号Ｄ１とともに飽和フラグ１１０として後述するデジタル信号処理部４００に含まれるＢＰＦ４１０に出力するようになっている。
なお、本明細書中においては、飽和フラグ１１０は、Ａ／Ｄコンバータ１００によって変換されたデジタル信号Ｄ１が飽和レベルを超えた瞬間に、デジタル信号Ｄ１とともに出力される値である。例えば、飽和している場合には「１」を、飽和していない場合には「０」がフラグとして出力される。この飽和フラグ１１０は、帯域制限前のデジタル信号Ｄ１の瞬時値と同期して出力されるため、帯域外の周波数成分となる場合は、ＢＰＦ４１０よって確実に除去される。
【００１６】
前記Ａ／Ｄコンバータ１００の前段には、アナログ信号Ａ１に対する減衰量を変化させることができるアッテネータ部３００としての可変アッテネータ３１０が接続されている。この可変アッテネータ３１０に対しては、可変アッテネータ３１０によるアナログ信号Ａ１に対する減衰量を変化させるためのアッテネータ制御信号５１０が前記制御部５００から出力される。
【００１７】
Ａ／Ｄコンバータ１００の後段には、Ａ／Ｄコンバータ１００から入力されたデジタル信号Ｄ１に対して各種処理を行うデジタル信号処理部４００が接続されている。
このデジタル信号処理部４００は、Ａ／Ｄコンバータ１００から入力されたデジタル信号Ｄ１の帯域制限を行うＢＰＦ（Band-pass filter）４１０と、このＢＰＦ４１０から出力されたデジタル信号Ｄ２に飽和フラグ１１０が含まれるか否かを検出する飽和検出部４２０とを有している。
【００１８】
前記デジタル信号Ｄ１に飽和フラグ１１０が含まれていたとしても、それが検波帯域外のものであれば、ＢＰＦ４１０から出力されるデジタル信号Ｄ２からは除去されている。すなわち、この場合、デジタル信号Ｄ２には、飽和フラグ１１０が含まれないことになる。
一方、前記デジタル信号Ｄ１に飽和フラグ１１０が含まれていたとしても、それが検波帯域内のものであれば、ＢＰＦ４１０によっては除去されない。従って、この場合、デジタル信号Ｄ２には、飽和フラグ１１０が含まれることになる。
【００１９】
デジタル信号Ｄ２に飽和フラグ１１０が含まれていることは、必要な検波帯域内で飽和が発生していることを意味するので、飽和フラグ１１０を検出した飽和検出部４２０は制御部５００に対して飽和信号４２１を出力する。
【００２０】
デジタル信号Ｄ２に飽和フラグ１１０が含まれていない場合、不必要な検波帯域外で飽和が発生しているか否かに関わらず、必要な検波帯域内での飽和は発生していないので、飽和信号４２１は出力されることがない。
【００２１】
このデジタル信号処理部４００からは復調処理等が行われたデジタル信号Ｄ３がＤ／Ａコンバータ６００に出力され、Ｄ／Ａコンバータ６００によってアナログ信号（音声信号）に変換されて、スピーカーＳＰ等から出力される。
なお、このデジタル信号処理部４００は、一部又は全てをＤＳＰ（Digital Signal Processor）、一部又は全てをＦＰＧＡ(Field Programmable Gate Array) で構成することが可能である。また、ＣＰＵをも含めて一体化したＳｏＣ(System on Chip)としてもよい。
なお、このデジタル信号処理部４００は、入力されたデジタル信号Ｄ１に対して復調処理等の他の処理を行う機能も併有しているのが一般的であるが、本明細書においてはその機能の説明については省略する。
【００２２】
なお、前記制御部５００はＣＰＵであり、前記Ａ／Ｄコンバータ１００、前記可変アッテネータ３１０、前記デジタル信号処理部４００を制御するものである。
【００２３】
上述のように構成された無線受信装置１０００Ａは以下のように作動する。
まず、アンテナＡＴから入力されたアナログ信号Ａ１は、可変アッテネータ３１０に入力され、可変アッテネータ３１０からアナログ信号Ａ２としてＡ／Ｄコンバータ１００に入力される。この時点では、可変アッテネータ３１０の減衰量は最小値であり、アナログ信号Ａ２の信号強度は、アンテナＡＴから受信したほぼそのままの強度である。
アナログ信号Ａ２が入力されたＡ／Ｄコンバータ１００は、出力されるデジタル信号Ｄ１が自身の処理能力（入力レンジ）を超えて飽和しているか否かを判断し、飽和していると判断すると、その旨を飽和フラグ１１０としてデジタル信号Ｄ１とともに出力する。
【００２４】
Ａ／Ｄコンバータ１００からの出力であるデジタル信号Ｄ１は、デジタル信号処理部４００のＢＰＦ４１０に入力される。このＢＰＦ４１０は、デジタル信号Ｄ１に対して検波帯域以外の帯域を除去する帯域制限を行い、デジタル信号Ｄ２として出力する。
このデジタル信号Ｄ２はＢＰＦ４１０によって帯域制限が行われているため、デジタル信号処理部４００での復調処理に必要とされる検波帯域内のものとなっている。
【００２５】
一方、前記デジタル信号Ｄ１がＡ／Ｄコンバータ１００の処理能力を超えて飽和していた場合には、デジタル信号Ｄ１に飽和フラグ１１０が含まれることになる。しかしながら、この段階では飽和フラグ１１０が検波帯域内の信号に起因するものであるか、検波帯域外の信号に起因するものであるかは判然としない。
【００２６】
デジタル信号Ｄ１がＢＰＦ４１０に入力されて帯域制限が行われても、前記飽和フラグ１１０が検波帯域内の信号に起因する場合、飽和フラグ１１０はＢＰＦ４１０により除去されず、デジタル信号Ｄ２に飽和フラグ１１０が含まれる。
一方、前記飽和フラグ１１０が検波帯域外の信号に起因する場合、飽和フラグ１１０はＢＰＦ４１０によって除去されるので、デジタル信号Ｄ２には飽和フラグ１１０は含まれない。
【００２７】
前記飽和フラグ１１０を飽和検出部４２０が検出すると、飽和検出部４２０は制御部５００に対して飽和信号４２１を出力する。
【００２８】
飽和信号４２１を受けた制御部５００は、可変アッテネータ３１０に対してアッテネータ制御信号５１０を出力し、これを受けた可変アッテネータ３１０はアナログ信号Ａ１に対する減衰量を大きくする。その結果、アナログ信号Ａ２の信号レベルが減衰されるので、Ａ／Ｄコンバータ１００は飽和フラグ１１０を含まないデジタル信号Ｄ１を出力することになる。
【００２９】
上述のように構成された本発明の第１の実施の形態に係る無線受信装置１０００Ａの動作を以下の表１に示す４つのケースに場合分けしてより具体的に説明する。
【００３０】
【表１】
0006761163.tif 000002
【００３１】
ケース１の場合
検波帯域内信号が飽和し、かつ検波帯域外信号も飽和している状態
このケース１においては、Ａ／Ｄコンバータ１００から出力されるデジタル信号Ｄ１に飽和フラグ１１０が含まれていることになる。
ＢＰＦ４１０において飽和フラグ１１０を含む検波帯域外信号は除去されるが、飽和フラグ１１０を含む検波帯域内信号は除去されない。従って、ＢＰＦ４１０から出力されるデジタル信号Ｄ２には、飽和フラグ１１０が含まれたままになる。
かかる飽和フラグ１１０を受けた飽和検出部４２０は、飽和信号４２１を制御部５００に出力する。
また、飽和信号４２１を受けた制御部５００は、可変アッテネータ３１０に対してアッテネータ制御信号５１０を出力する。
アッテネータ制御信号５１０を受けた可変アッテネータ３１０は、アナログ信号Ａ１に対する減衰量を増大させる。この可変アッテネータ３１０による減衰によって、可変アッテネータ３１０から出力されるアナログ信号Ａ２は検波帯域内信号も検波帯域外信号も飽和しない状態になる。
よって、この可変アッテネータ３１０より後段、すなわちＡ／Ｄコンバータ１００から出力されるデジタル信号Ｄ１には飽和フラグ１１０が含まれず、ＢＰＦ４１０によって検波帯域内信号のみがデジタル信号Ｄ２として出力される。
その結果、飽和フラグ１１０は飽和検出部４２０によって検出されないので、前記飽和信号４２１、アッテネータ制御信号５１０も出力されなくなる。
このケース１においては、アナログ信号Ａ１の信号強度は、検波帯域内信号が飽和するほど大きいため、アナログ信号Ａ１が可変アッテネータ３１０によって減衰されたとしても、Ｓ／Ｎは大きく悪化することはない。
【００３２】
ケース２の場合
検波帯域内信号が飽和せず、かつ検波帯域外信号が飽和している状態
このケース２においては、Ａ／Ｄコンバータ１００から出力されるデジタル信号Ｄ１には飽和フラグ１１０が含まれている。
ＢＰＦ４１０において飽和フラグ１１０を含む検波帯域外信号は除去されるが、検波帯域内信号は除去されない。従って、ＢＰＦ４１０から出力されるデジタル信号Ｄ２には、飽和フラグ１１０が含まれないことになる。
従って、飽和検出部４２０は飽和フラグ１１０を受けないので、飽和信号４２１を制御部５００に出力することはない。
また、制御部５００は飽和信号４２１を受けないので、可変アッテネータ３１０に対してアッテネータ制御信号５１０を出力することはない。
よって、この可変アッテネータ３１０より後段、すなわちＡ／Ｄコンバータ１００から出力されるデジタル信号Ｄ１には飽和フラグ１１０が含まれるが、ＢＰＦ４１０によって飽和フラグ１１０を含む検波帯域外信号は除去されるので、デジタル信号Ｄ２には飽和フラグ１１０は含まれないことになる。
このケース２では、デジタル信号処理部４００での復調処理等で必要な検波帯域内信号を減衰させることがなく、Ｓ／Ｎの悪化が生じない。
【００３３】
ケース３の場合
検波帯域内信号が飽和し、かつ検波帯域外信号が飽和していない状態
このケース３においては、Ａ／Ｄコンバータ１００から出力されるデジタル信号Ｄ１に飽和フラグ１１０が含まれていることになる。
ＢＰＦ４１０において検波帯域外信号は除去されるが、飽和フラグ１１０を含む検波帯域内信号は除去されない。従って、ＢＰＦ４１０から出力されるデジタル信号Ｄ２には、飽和フラグ１１０が含まれたままになる。
かかる飽和フラグ１１０を受けた飽和検出部４２０は、飽和信号４２１を制御部５００に出力する。
また、飽和信号４２１を受けた制御部５００は、可変アッテネータ３１０に対してアッテネータ制御信号５１０を出力する。
アッテネータ制御信号５１０を受けた可変アッテネータ３１０は、アナログ信号Ａ１に対する減衰量を増大させる。この可変アッテネータ３１０による減衰によって、可変アッテネータ３１０から出力されるアナログ信号Ａ２は飽和していた検波帯域内信号も飽和していなかった検波帯域外信号も飽和しない状態になる。
よって、この可変アッテネータ３１０より後段、すなわちＡ／Ｄコンバータ１００から出力されるデジタル信号Ｄ１には飽和フラグ１１０が含まれないことになり、ＢＰＦ４１０によって検波帯域内信号のみがデジタル信号Ｄ２として出力される。
その結果、飽和フラグ１１０は飽和検出部４２０によって検出されないので、前記飽和信号４２１、アッテネータ制御信号５１０も出力されなくなる。
このケース３においては、アナログ信号Ａ１の信号強度は、検波帯域内信号が飽和するほど大きいため、アナログ信号Ａ１が可変アッテネータ３１０によって減衰されたとしても、Ｓ／Ｎは大きく悪化することはない。
【００３４】
ケース４の場合
検波帯域内信号が飽和せず、かつ検波帯域外信号も飽和していない状態
このケース４においては、Ａ／Ｄコンバータ１００から出力されるデジタル信号Ｄ１には飽和フラグ１１０が含まれていないことになる。
ＢＰＦ４１０において飽和していない検波帯域外信号が除去され、飽和フラグ１１０が含まれない検波帯域内信号のみがデジタル信号Ｄ２として出力される。
飽和検出部４２０は飽和フラグ１１０を受けないので、飽和信号４２１を制御部５００に出力することはない。
また、制御部５００は飽和信号４２１を受けないので、可変アッテネータ３１０に対してアッテネータ制御信号５１０を出力することはない。
よって、この可変アッテネータ３１０より後段、すなわちＡ／Ｄコンバータ１００から出力されるデジタル信号Ｄ１には飽和フラグ１１０が含まれず、ＢＰＦ４１０によって検波帯域内信号の飽和フラグ１１０を含まないデジタル信号Ｄ２として出力される。
このケース４では、Ａ／Ｄコンバータ１００から出力されるデジタル信号Ｄ１には、もともと飽和フラグ１１０が含まれていないので、可変アッテネータ３１０の減衰量は最小値のままである（ほぼ減衰されない）。
【００３５】
次に、本発明の第２の実施の形態に係る無線受信装置１０００Ｂについて、図２を参照しつつ説明する。
【００３６】
この第２の実施の形態に係る無線受信装置１０００Ｂは、図２に示すように、各部を制御する制御部５００と、受信したアナログ信号Ａ１のレベル調整を行うアッテネータ部３００と、このアッテネータ部３００を経たアナログ信号Ａ２をデジタル信号Ｄ１に変換するとともに出力されるデジタル信号Ｄ１が予め設定された値を超えているか否かを判断する機能を有するＡ／Ｄコンバータ１００と、このＡ／Ｄコンバータ１００から出力されるデジタル信号Ｄ１が入力されるデジタル信号処理部４００とを備えており、さらに、前記デジタル信号処理部４００は、入力されたデジタル信号Ｄ１の帯域制限を行うＢＰＦ４１０と、このＢＰＦ４１０から出力されたデジタル信号Ｄ２に飽和フラグ１１０が含まれているか否かを検出する飽和検出部４２０とを有しており、前記アッテネータ部３００は、減衰量を固定された１つの固定アッテネータ３２０と、受信したアナログ信号Ａ１を固定アッテネータ３２０に導くか、それとも固定アッテネータ３２０をスルーしてＡ／Ｄコンバータ１００に直接導くかを切り換えるアッテネータ切換スイッチ３３０Ｆ、３３０Ｅとを有しており、前記飽和フラグ１１０は、Ａ／Ｄコンバータ１００によって変換されたデジタル信号Ｄ１が予め設定された値を超えて飽和していると判断された場合、デジタル信号Ｄ１の瞬時値と同期して出力されるものであり、この飽和フラグ１１０が帯域外の周波数成分となる場合にはＢＰＦ４１０によって除去され、前記飽和検出部４２０が飽和フラグ１１０を検出した場合、前記制御部５００は、前記アッテネータ部３００のアッテネータ切り換えスイッチ３３０Ｆ、３３０Ｅに対して固定アッテネータ３２０を選択するアッテネータ切換信号５２０を送出するようになっている。
【００３７】
この第２の実施の形態に係る無線受信装置１０００Ｂが、上述した第１の実施の形態に係る無線受信装置１０００Ａと相違する点は、上述した第１の実施の形態に係る無線受信装置１０００Ａではアッテネータ部３００として可変アッテネータ３１０を用いたが、アッテネータ部３００として固定アッテネータ３２０及びそれを切り換えるアッテネータ切換スイッチ３３０Ｆ、３３０Ｅである点である。
【００３８】
この本発明の第２の実施の形態に係る無線受信装置１０００Ｂにおけるアッテネータ部３００は、減衰量が固定された１又は複数の固定アッテネータ３２０と、アンテナＡＴからのアナログ信号Ａ１を固定アッテネータ３２０に導くか、それとも固定アッテネータ３２０をスルーしてＡ／Ｄコンバータ１００に直接導くかを切り換えるアッテネータ切換スイッチ３３０Ｆ、３３０Ｅを有している。
なお、図２においては、固定アッテネータ３２０は１つのみを示しているが、複数の固定アッテネータを組み合わせるようにしてもよい。
【００３９】
２つのアッテネータ切換スイッチ３３０Ｆ、３３０Ｅは固定アッテネータ３２０の前段及び後段に設けられており、連動して作動するようになっている。
すなわち、前段のアッテネータ切換スイッチ３３０Ｆがスルー線路３４０を選択したならば、後段のアッテネータ切換スイッチ３３０Ｅもスルー線路３４０を選択し、前段のアッテネータ切換スイッチ３３０Ｆが固定アッテネータ３２０を選択したならば、後段のアッテネータ切換スイッチ３３０Ｅも固定アッテネータ３２０を選択するようになっている。
なお、この２つのアッテネータ切換スイッチ３３０Ｆ、３３０Ｅは、ノーマル状態でスルー線路３４０を選択するようになっている。
【００４０】
また、アッテネータ切換スイッチ３３０Ｆ、３３０Ｅを切り換えるためのスイッチ切換信号５２０は、第１の実施の形態におけるアッテネータ制御信号５１０と同等の役目を果たすものである。
その他の点は、上述した第１の実施の形態に係る無線受信装置１０００Ａと同一の構成となっている。
【００４１】
かかる第２の実施の形態に係る無線受信装置１０００Ｂの動作を、上述した表１に示す４つのケースに場合分けしてより具体的に説明する。
【００４２】
ケース１の場合
検波帯域内信号が飽和し、かつ検波帯域外信号も飽和している状態
このケース１においては、Ａ／Ｄコンバータ１００から出力されるデジタル信号Ｄ１に飽和フラグ１１０が含まれていることになる。
ＢＰＦ４１０において飽和フラグ１１０を含む検波帯域外信号は除去されるが、飽和フラグ１１０を含む検波帯域内信号は除去されない。従って、ＢＰＦ４１０から出力されるデジタル信号Ｄ２には、飽和フラグ１１０が含まれたままになる。
かかる飽和フラグ１１０を受けた飽和検出部４２０は、飽和信号４２１を制御部５００に出力する。
また、飽和信号４２１を受けた制御部５００は、アッテネータ切換スイッチ３３０Ｆ、３３０Ｅに対してスイッチ切換信号５２０を出力する。
ケース１の場合、アナログ信号Ａ１に対する減衰量を増大させる必要があるので、スイッチ切換信号５２０は、２つのアッテネータ切換スイッチ３３０Ｆ、３３０Ｅが固定アッテネータ３２０を選択するようなものとなっている。
その結果、アナログ信号Ａ１は固定アッテネータ３２０を介することによって減衰されたアナログ信号Ａ２として固定アッテネータ３２０から出力される。
この固定アッテネータ３２０による減衰によって、固定アッテネータ３２０から出力されるアナログ信号Ａ２は検波帯域内信号も検波帯域外信号も飽和しない状態になる。
よって、この固定アッテネータ３２０より後段、すなわちＡ／Ｄコンバータ１００から出力されるデジタル信号Ｄ１には飽和フラグ１１０が含まれず、ＢＰＦ４１０によって検波帯域内信号のみがデジタル信号Ｄ２として出力される。
その結果、飽和フラグ１１０は飽和検出部４２０によって検出されないので、前記飽和信号４２１、スイッチ切換信号５２０も出力されなくなる。
このケース１においては、必要な検波帯域内信号が飽和するほど大きいため、アナログ信号Ａ１が固定アッテネータ３２０によって減衰されたとしても、Ｓ／Ｎは大きく悪化することはない。
【００４３】
ケース２の場合
検波帯域内信号が飽和せず、かつ検波帯域外信号が飽和している状態
このケース２においては、Ａ／Ｄコンバータ１００から出力されるデジタル信号Ｄ１には飽和フラグ１１０が含まれる。
ＢＰＦ４１０において飽和フラグ１１０を含む検波帯域外信号は除去されるが、検波帯域内信号は除去されない。従って、ＢＰＦ４１０から出力されるデジタル信号Ｄ２には、飽和フラグ１１０が含まれないことになる。
従って、飽和検出部４２０は飽和フラグ１１０を受けないので、飽和信号４２１を制御部５００に出力することはない。
また、制御部５００は飽和信号４２１を受けないので、２つのアッテネータ切換スイッチ３３０Ｆ、３３０Ｅに対してスイッチ切換信号５２０を出力することはなく、アナログ信号Ａ１はスルー線路３４０を介してそのままの状態でアナログ信号Ａ２としてＡ／Ｄコンバータ１００に入力される。
よって、Ａ／Ｄコンバータ１００から出力されるデジタル信号Ｄ１には飽和フラグ１１０が含まれず、ＢＰＦ４１０によって検波帯域内信号の飽和フラグ１１０を含まないデジタル信号Ｄ２として出力される。
このケース２では、デジタル信号処理部４００での復調処理等で必要な検波帯域内信号を減衰させることがなく、Ｓ／Ｎの悪化が生じない。
【００４４】
ケース３の場合
検波帯域内信号が飽和し、かつ検波帯域外信号が飽和していない状態
このケース３においては、Ａ／Ｄコンバータ１００から出力されるデジタル信号Ｄ１に飽和フラグ１１０が含まれていることになる。
ＢＰＦ４１０において検波帯域外信号は除去されるが、飽和フラグ１１０を含む検波帯域内信号は除去されない。従って、ＢＰＦ４１０から出力されるデジタル信号Ｄ２には、飽和フラグ１１０が含まれたままになる。
かかる飽和フラグ１１０を受けた飽和検出部４２０は、飽和信号４２１を制御部５００に出力する。
また、飽和信号４２１を受けた制御部５００は、アッテネータ切換スイッチ３３０Ｆ、３３０Ｅに対してスイッチ切換信号５２０を出力する。
ケース３の場合、アナログ信号Ａ１に対する減衰量を増大させる必要があるので、スイッチ切換信号５２０は、２つのアッテネータ切換スイッチ３３０Ｆ、３３０Ｅが固定アッテネータ３２０を選択するようなものとなっている。
その結果、アナログ信号Ａ１は固定アッテネータ３２０を介することによって減衰されたアナログ信号Ａ２として固定アッテネータ３２０から出力される。
この固定アッテネータ３２０による減衰によって、固定アッテネータ３２０から出力されるアナログ信号Ａ２は検波帯域内信号も検波帯域外信号も飽和しない状態になる。
よって、Ａ／Ｄコンバータ１００から出力されるデジタル信号Ｄ１には飽和フラグ１１０が含まれないことになり、ＢＰＦ４１０によって検波帯域内信号のみがデジタル信号Ｄ２として出力される。
その結果、飽和フラグ１１０は飽和検出部４２０によって検出されないので、前記飽和信号４２１、スイッチ切換信号５２０も出力されなくなる。
このケース３においては、アナログ信号Ａ１の信号強度は、検波帯域内信号が飽和するほど大きいため、アナログ信号Ａ１が可変アッテネータ３１０によって減衰されたとしても、Ｓ／Ｎは大きく悪化することはない。
【００４５】
ケース４の場合
検波帯域内信号が飽和せず、かつ検波帯域外信号も飽和していない状態
このケース４においては、Ａ／Ｄコンバータ１００から出力されるデジタル信号Ｄ１には飽和フラグ１１０が含まれていないことになる。
ＢＰＦ４１０において飽和していない検波帯域外信号が除去され、飽和フラグ１１０が含まれない検波帯域内信号のみがデジタル信号Ｄ２として出力される。
飽和検出部４２０は飽和フラグ１１０を受けないので、飽和信号４２１を制御部５００に出力することはない。
また、制御部５００は飽和信号４２１を受けないので、２つのアッテネータ切換スイッチ３３０Ｆ、３３０Ｅに対してスイッチ切換信号５２０を出力することはなく、アナログ信号Ａ１はスルー線路３４０を介してそのままの状態でアナログ信号Ａ２としてＡ／Ｄコンバータ１００に入力される。
よって、Ａ／Ｄコンバータ１００から出力されるデジタル信号Ｄ１には飽和フラグ１１０が含まれず、ＢＰＦ４１０によって検波帯域内信号の飽和フラグ１１０を含まないデジタル信号Ｄ２として出力される。
このケース４では、Ａ／Ｄコンバータ１００から出力されるデジタル信号Ｄ１には、もともと飽和フラグ１１０が含まれていないので、固定アッテネータ３２０で減衰させることはないので、Ｓ／Ｎの悪化が生じない。
【００４６】
次に、本発明の第３の実施の形態に係る無線受信装置１０００Ｃについて、図３を参照しつつ説明する。
【００４７】
この第３の実施の形態に係る無線受信装置１０００Ｃは、図３に示すように、受信したアナログ信号Ａ１を減衰するアッテネータ部３００と、このアッテネータ部３００から出力されたアナログ信号Ａ２が入力されるＡ／Ｄコンバータ１００と、このＡ／Ｄコンバータ１００から出力されたデジタル信号Ｄ１が入力されるデジタル信号処理部４００と、これらを制御する制御部５００とを備えており、前記デジタル信号処理部４００は、Ａ／Ｄコンバータ１００から出力されたデジタル信号Ｄ１に帯域制限を行うＢＰＦ４１０と、このＢＰＦ４１０から出力されたデジタル信号Ｄ２に飽和フラグ１１０が含まれているか否かを検出する飽和検出部４２０とを有しており、前記飽和検出部４２０での検出結果に応じて、前記アッテネータ部３００に対してアナログ信号Ａ１を減衰させるアッテネータ制御信号５３０を送出するようになっている。
【００４８】
しかも、前記アッテネータ部３００は、減衰量を変化させることができる可変アッテネータ３１０と、この可変アッテネータ３１０の前段に設けられ、減衰量が固定された１又は複数の固定アッテネータ３２０と、アンテナＡＴからのアナログ信号Ａ１を固定アッテネータ３２０に導くか、それとも固定アッテネータ３２０をスルーしてＡ／Ｄコンバータ１００に直接導くかを切り換えるアッテネータ切換スイッチ３３０Ｆ、３３０Ｅを有している。
なお、図３においては、固定アッテネータ３２０は１つのみを示しているが、複数の固定アッテネータを組み合わせるようにしてもよい。
【００４９】
また、前記アッテネータ制御信号５３０は、可変アッテネータ３１０に対してアナログ信号Ａ２を減衰させる可変アッテネータ制御信号５３１と、前記固定アッテネータ３２０を切り換える２つのアッテネータ切換スイッチ３３０Ｆ、３３０Ｅにアッテネータ制御信号であるスイッチ切換信号５３２とを有している。
なお、制御部５００は、アナログ信号Ａ１の減衰量に応じて、可変アッテネータ制御信号５３１とスイッチ切換信号５３２とを適宜に出力する。
【００５０】
かかる第３の実施の形態に係る無線受信装置１０００Ｃの動作を、上述した表１に示す４つのケースに場合分けしてより具体的に説明する。
【００５１】
ケース１の場合
検波帯域内信号が飽和し、かつ検波帯域外信号も飽和している状態
このケース１においては、Ａ／Ｄコンバータ１００から出力されるデジタル信号Ｄ１に飽和フラグ１１０が含まれていることになる。
ＢＰＦ４１０において飽和フラグ１１０を含む検波帯域外信号は除去されるが、飽和クラブ１１０を含む検波帯域内信号は除去されない。従って、ＢＰＦ４１０から出力されるデジタル信号Ｄ２には、飽和フラグ１１０が含まれたままになる。
かかる飽和フラグ１１０を受けた飽和検出部４２０は、飽和信号４２１を制御部５００に出力する。
また、飽和信号４２１を受けた制御部５００は、アッテネータ制御信号５３０を出力する。
このアッテネータ制御信号５３０は、アッテネータ部３００全体の減衰量が最適であると制御部５００によって判断されものとなっている。すなわち、場合によっては可変アッテネータ制御信号５３１のみが出力されることもあるし、スイッチ切換信号５３２のみが出力されることもある。また、可変アッテネータ制御信号５３１及びスイッチ切換信号５３２が同時に出力されることもある。
ケース１の場合、アナログ信号Ａ１に対する減衰量を増大させる必要があるので、アッテネータ制御信号５３０が出力され、可変アッテネータ３１０のみか、可変アッテネータ３１０と固定アッテネータ３２０とを併用するか、それとも固定アッテネータ３２０のみであるかのいずれかが選択される。
その結果、アナログ信号Ａ１はアッテネータ部３００を介することによって減衰されたアナログ信号Ａ２としてアッテネータ部３００から出力される。
このアッテネータ部３００による減衰によって、アッテネータ部３００から出力されるアナログ信号Ａ２は検波帯域内信号も検波帯域外信号も飽和しない状態になる。
よって、このアッテネータ部３００より後段、すなわちＡ／Ｄコンバータ１００から出力されるデジタル信号Ｄ１には飽和フラグ１１０が含まれず、ＢＰＦ４１０によって検波帯域内信号のみがデジタル信号Ｄ２として出力される。
その結果、飽和フラグ１１０は飽和検出部４２０によって検出されないので、前記飽和信号４２１、アッテネータ制御信号５３０出力されなくなる。
このケース１においては、必要な検波帯域内信号が飽和するほど大きいため、アナログ信号Ａ１がアッテネータ部３００によって減衰されたとしても、Ｓ／Ｎは大きく悪化することはない。
【００５２】
ケース２の場合
検波帯域内信号が飽和せず、かつ検波帯域外信号が飽和している状態
このケース２においては、Ａ／Ｄコンバータ１００から出力されるデジタル信号Ｄ１には飽和フラグ１１０が含まれる。
ＢＰＦ４１０において飽和フラグ１１０を含む検波帯域外信号は除去されるが、検波帯域内信号は除去されない。従って、ＢＰＦ４１０から出力されるデジタル信号Ｄ２には、飽和フラグ１１０が含まれないことになる。
従って、飽和検出部４２０は飽和フラグ１１０を受けないので、飽和信号４２１を制御部５００に出力することはない。
また、制御部５００は飽和信号４２１を受けないので、アッテネータ制御信号５３０を出力することはなく、アナログ信号Ａ１はスルー線路３４０を介してそのままの状態で可変アッテネータ３１０を介して、アナログ信号Ａ２としてＡ／Ｄコンバータ１００に入力される。
よって、Ａ／Ｄコンバータ１００から出力されるデジタル信号Ｄ１には飽和フラグ１１０が含まれず、ＢＰＦ４１０によって検波帯域内信号の飽和フラグ１１０を含まないデジタル信号Ｄ２として出力される。
このケース２では、デジタル信号処理部４００での復調処理等で必要な検波帯域内信号を減衰させることがなく、Ｓ／Ｎの悪化が生じない。
【００５３】
ケース３の場合
検波帯域内信号が飽和し、かつ検波帯域外信号が飽和していない状態
このケース３においては、Ａ／Ｄコンバータ１００から出力されるデジタル信号Ｄ１に飽和フラグ１１０が含まれていることになる。
ＢＰＦ４１０において検波帯域外信号は除去されるが、飽和フラグ１１０を含む検波帯域内信号は除去されない。従って、ＢＰＦ４１０から出力されるデジタル信号Ｄ２には、飽和フラグ１１０が含まれたままになる。
かかる飽和フラグ１１０を受けた飽和検出部４２０は、飽和信号４２１を制御部５００に出力する。
また、飽和信号４２１を受けた制御部５００は、アッテネータ制御信号５３０を出力する。
ケース３の場合、アナログ信号Ａ１に対する減衰量を増大させる必要があるので、アッテネータ制御信号５３０が出力され、可変アッテネータ３１０のみか、可変アッテネータ３１０と固定アッテネータ３２０とを併用するか、それとも固定アッテネータ３２０のみであるかのいずれかが選択される。
その結果、アナログ信号Ａ１はアッテネータ部３００を介することによって減衰されたアナログ信号Ａ２としてアッテネータ部３００から出力される。
このアッテネータ部３００による減衰によって、アッテネータ部３００から出力されるアナログ信号Ａ２は検波帯域内信号も検波帯域外信号も飽和しない状態になる。
よって、Ａ／Ｄコンバータ１００から出力されるデジタル信号Ｄ１には飽和フラグ１１０が含まれないことになり、ＢＰＦ４１０によって検波帯域内信号のみがデジタル信号Ｄ２として出力される。
その結果、飽和フラグ１１０は飽和検出部４２０によって検出されないので、前記飽和信号４２１、アッテネータ制御信号５３０も出力されなくなる。
このケース３においては、アナログ信号Ａ１の信号強度は、検波帯域内信号が飽和するほど大きいため、アナログ信号Ａ１がアッテネータ部３００によって減衰されたとしても、Ｓ／Ｎは大きく悪化することはない。
【００５４】
ケース４の場合
検波帯域内信号が飽和せず、かつ検波帯域外信号も飽和していない状態
このケース４においては、Ａ／Ｄコンバータ１００から出力されるデジタル信号Ｄ１には飽和フラグ１１０が含まれていないことになる。
ＢＰＦ４１０において飽和していない検波帯域外信号が除去され、飽和フラグ１１０が含まれない検波帯域内信号のみがデジタル信号Ｄ２として出力される。
飽和検出部４２０は飽和フラグ１１０を受けないので、飽和信号４２１を制御部５００に出力することはない。
また、制御部５００は飽和信号４２１を受けないので、アッテネータ制御信号５３０を出力することはなく、アナログ信号Ａ１はスルー線路３４０を介してそのままの状態で可変アッテネータ３１０に入力され、可変アッテネータ３１０からアナログ信号Ａ２としてＡ／Ｄコンバータ１００に入力される。
よって、Ａ／Ｄコンバータ１００から出力されるデジタル信号Ｄ１には飽和フラグ１１０が含まれず、ＢＰＦ４１０によって検波帯域内信号の飽和フラグ１１０を含まないデジタル信号Ｄ２として出力される。
このケース４では、Ａ／Ｄコンバータ１００から出力されるデジタル信号Ｄ１には、もともと飽和フラグ１１０が含まれていないので、アッテネータ部３００の減衰量は最小値のままである（ほぼ減衰されない）。
【００５５】
上述した第１〜３の実施の形態に係る無線受信装置１０００Ａ、１０００Ｂ、１０００Ｃでは、Ａ／Ｄコンバータ１００は、出力されるデジタル信号Ｄ１が飽和しているか否かを検出し、飽和していると判断した場合には飽和フラグ１１０をデジタル信号Ｄ１とともに出力するような機能を有していた。
しかしながら、Ａ／Ｄコンバータ１００は、必ずしもこのような機能を有していなくてもよい。
この飽和しているか否かを判断し、その判断結果に応じて飽和フラグ１１０を出力するという機能を持たないＡ／Ｄコンバータ１００Ｄを有する本発明の第４の実施の形態に係る無線受信装置１０００Ｄでは、デジタル信号Ｄ１が実際に飽和しているか否かを判断するのではなく、飽和に近いレベルを予め定義しておき、デジタル信号Ｄ１がそのレベルを超えると判断された場合には、飽和が検出されたと判断し、飽和フラグ１１０と同等のフラグを出力するのである。
例えば、この無線受信装置１０００Ｄは、図４に示すように、デジタル信号処理部４００内でＢＰＦ４１０より前段側に信号レベル検出部４４０を設け、この信号レベル検出部４４０に予め設定されたレベルを超えるデジタル信号Ｄ１が入力されたならば飽和していると判断して、アナログ信号Ａ１を減衰させるアッテネータ制御信号５１０をアッテネータ部３００に対して送出するのである。
なお、この飽和しているか否かを判断し、その判断結果に応じて飽和フラグ１１０を出力するという機能を持たないＡ／Ｄコンバータ１００Ｄを有する無線受信装置１０００Ｄでも、それ以降の動作は上述した第１〜３の実施の形態に係る無線受信装置１０００Ａ、１０００Ｂ、１０００Ｃと同等に行われる。
【符号の説明】
【００５６】
１００      Ａ／Ｄコンバータ
３００      アッテネータ部
３１０      可変アッテネータ
４００      デジタル信号処理部
４１０      ＢＰＦ
４２０      飽和検出部
５００      制御部
５１０      アッテネータ制御信号
１０００Ａ  無線受信装置
【図１】
0006761163.tif 000003
【図２】
0006761163.tif 000004
【図３】
0006761163.tif 000005
【図４】
0006761163.tif 000006